(57)【要約】【課題】撮影前確認動画の表示中の状況に柔軟に対応した露出制御が可能な電子カメラを提供する。【解決手段】被写体の画像を撮像する撮像素子と、連続撮像中の前記撮像素子から出力される画像をリアルタイムで表示する表示部と、前記撮像素子から出力される画像の輝度に基づき露出を補正するループからなるフィードバック制御を行う制御手段とを備えた電子カメラにおいて、前記制御手段は、前記フィードバック制御の開始直後の第１ループでは、前記撮像素子から出力される複数の画像（Ａ，Ｂ）の輝度に基づき（１’，２’）露出を補正する（３’）ことを特徴とする。【選択図】      図２
2004266362.tif 000002
【特許請求の範囲】
【請求項１】
被写体の画像を撮像する撮像素子と、
連続撮像中の前記撮像素子から出力される画像をリアルタイムで表示する表示部と、
前記撮像素子から出力される画像の輝度に基づき露出を補正するループの繰り返しからなるフィードバック制御を行う制御手段とを備えた電子カメラにおいて、
前記制御手段は、
前記フィードバック制御の開始直後の第１ループでは、前記撮像素子から出力される複数の画像の輝度に基づき露出を補正することを特徴とする電子カメラ。
【請求項２】
請求項１に記載の電子カメラにおいて、
前記制御手段は、
前記第１ループでは、前記撮像素子から連続して出力される２つの画像の輝度に基づき露出を補正することを特徴とする電子カメラ。
【請求項３】
請求項１又は請求項２に記載の電子カメラにおいて、
前記制御手段は、
前記第１ループでは、後続する第２ループ以降より前記補正の強度を高めることを特徴とする電子カメラ。
【請求項４】
請求項１〜請求項３の何れか一項に記載の電子カメラにおいて、
前記制御手段は、
前記第１ループの開始に当たり、前記複数の画像それぞれの撮像時に互いに異なる所定の露出を設定することを特徴とする電子カメラ。
【請求項５】
請求項４に記載の電子カメラにおいて、
前記制御手段は、
前記第１ループでは、前記複数の画像の輝度のうち所定の適正範囲内に属するものに基づいて前記露出を補正することを特徴とする電子カメラ。
【請求項６】
請求項１〜請求項５の何れか一項に記載の電子カメラにおいて、
前記制御手段は、
前記第１ループでは、前記複数の画像の輝度の評価方法を中央重点測光とすることを特徴とする電子カメラ。
【請求項７】
請求項１〜請求項６の何れか一項に記載の電子カメラにおいて、
前記電子カメラ内の各部に電力を供給する電源を有し、
前記制御手段は、
前記電源の起動に応じて、前記フィードバック制御を開始することを特徴とする電子カメラ。
【請求項８】
請求項１〜請求項７の何れか一項に記載の電子カメラにおいて、
前記電子カメラは、画像の撮影記録を行う撮影モードと少なくとも１つの非撮影モードとの間で切り替えが可能であり、
前記制御手段は、
前記非撮影モードから前記撮影モードへの切り替えに応じて、前記フィードバック制御を開始することを特徴とする電子カメラ。
【請求項９】
被写体の画像を撮像する撮像素子と、
連続撮像中の前記撮像素子から出力される画像をリアルタイムで表示する表示部と、
前記撮像素子から出力される画像の輝度に基づき露出を補正するループの繰り返しからなるフィードバック制御を行う制御手段とを備えた電子カメラにおいて、
前記制御手段は、
前記輝度が所定範囲外にあるときは、前記輝度がその所定範囲内にあるときより前記補正の強度を高めることを特徴とする電子カメラ。
【請求項１０】
被写体の画像を撮像する撮像素子と、
連続撮像中の前記撮像素子から出力される画像をリアルタイムで表示する表示部と、
前記撮像素子から出力される画像の輝度に基づき露出を補正するループの繰り返しからなるフィードバック制御を行う制御手段と、
前記撮像素子から出力される画像の輝度に基づき点灯される照明手段とを備えた電子カメラにおいて、
前記制御手段は、
前記照明手段の点灯時は、前記照明手段の非点灯時より前記補正の強度を高めることを特徴とする電子カメラ。
【発明の詳細な説明】
【０００１】
【発明の属する技術分野】
本発明は、撮像素子が撮像した画像を撮影前確認のためにリアルタイムでモニタに表示することのできる電子カメラに関する。
【０００２】
【従来の技術】
電子カメラでは、撮影前確認動画の表示中に露出がフィードバック制御される（特許文献１など）。
フィードバック制御では、撮像素子から出力される画像（ここでは撮影前確認動画）のＡＥ評価値（画像の輝度を示す指標である。）が参照され、露出が適正値に近づく方向に撮像素子の電荷蓄積時間などが補正される。
【０００３】
因みにこの補正の強度は意図的に抑えられ、例えば補正量は、露出を適正値に即座に一致させる値の例えば２５％程度（補正強度２５％）に抑えられている。
このようにしてフィードバックの応答速度を緩やかにしておけば、露出が適正値に収束するまでに時間がかかるので、撮影前確認動画の表示中に画面内を移動物が横切るなどの急激な変化が生じたときにも、撮影前確認動画がちらつくことなく露出が安定する。
【０００４】
【特許文献１】
特開平１１−１１２８６５号公報
【０００５】
【発明が解決しようとする課題】
しかし、この従来の電子カメラでは、起動直後やモード変更時、フィードバック制御の開始当初は露出が即座には適正値に一致しないので、ユーザがシャッターチャンスを逃す可能性がある。
【０００６】
また、電子カメラに搭載されたオートフォーカスの測距用の補助光が点灯されたり、照明の光量が著しく低下したときなど、被写体の照明が特殊照明（以下、「著しく明るい、又は著しく暗い照明」の意味で使用。）に切り替えられたときにも露出が即座には適正値に一致しないので、ユーザがシャッターチャンスを逃す可能性がある。
【０００７】
そこで本発明は、撮影前確認動画の表示中の状況に柔軟に対応した露出制御が可能な電子カメラを提供することを目的とする。
具体的に、本発明の第１の目的は、撮影前確認動画の表示開始直後の露出を高速に最適化することのできる電子カメラを提供することにある。
また、本発明の第２の目的は、撮影前確認動画の表示中に被写体の照明が特殊照明に切り替えられた直後の露出を高速に最適化することのできる電子カメラを提供することにある。
【０００８】
【課題を解決するための手段】
請求項１に記載の電子カメラは、被写体の画像を撮像する撮像素子と、連続撮像中の前記撮像素子から出力される画像をリアルタイムで表示する表示部と、前記撮像素子から出力される画像の輝度に基づき露出を補正するループの繰り返しからなるフィードバック制御を行う制御手段とを備えた電子カメラにおいて、前記制御手段は、前記フィードバック制御の開始直後の第１ループでは、前記撮像素子から出力される複数の画像の輝度に基づき露出を補正することを特徴とする。
【０００９】
請求項２に記載の電子カメラは、請求項１に記載の電子カメラにおいて、前記制御手段は、前記第１ループでは、前記撮像素子から連続して出力される２つの画像の輝度に基づき露出を補正することを特徴とする。
請求項３に記載の電子カメラは、請求項１又は請求項２に記載の電子カメラにおいて、前記制御手段は、前記第１ループでは、後続する第２ループ以降より前記補正の強度を高めることを特徴とする。
【００１０】
請求項４に記載の電子カメラは、請求項１〜請求項３の何れか一項に記載の電子カメラにおいて、前記制御手段は、前記第１ループの開始に当たり、前記複数の画像それぞれの撮像時に互いに異なる所定の露出を設定することを特徴とする。
請求項５に記載の電子カメラは、請求項４に記載の電子カメラにおいて、前記制御手段は、前記第１ループでは、前記複数の画像の輝度のうち所定の適正範囲内に属するものに基づいて前記露出を補正することを特徴とする。
【００１１】
請求項６に記載の電子カメラは、請求項１〜請求項５の何れか一項に記載の電子カメラにおいて、前記制御手段は、前記第１ループでは、前記複数の画像の輝度の評価方法を中央重点測光とすることを特徴とする。
請求項７に記載の電子カメラは、請求項１〜請求項６の何れか一項に記載の電子カメラにおいて、前記電子カメラ内の各部に電力を供給する電源を有し、前記制御手段は、前記電源の起動に応じて、前記フィードバック制御を開始することを特徴とする。
【００１２】
請求項８に記載の電子カメラは、請求項１〜請求項７の何れか一項に記載の電子カメラにおいて、前記電子カメラは、画像の撮影記録を行う撮影モードと少なくとも１つの非撮影モードとの間で切り替えが可能であり、前記制御手段は、前記非撮影モードから前記撮影モードへの切り替えに応じて、前記フィードバック制御を開始することを特徴とする。
【００１３】
請求項９に記載の電子カメラは、被写体の画像を撮像する撮像素子と、連続撮像中の前記撮像素子から出力される画像をリアルタイムで表示する表示部と、前記撮像素子から出力される画像の輝度に基づき露出を補正するループの繰り返しからなるフィードバック制御を行う制御手段とを備えた電子カメラにおいて、前記制御手段は、前記輝度が所定範囲外にあるときは、前記輝度がその所定範囲内にあるときより前記補正の強度を高めることを特徴とする。
【００１４】
請求項１０に記載の電子カメラは、被写体の画像を撮像する撮像素子と、連続撮像中の前記撮像素子から出力される画像をリアルタイムで表示する表示部と、前記撮像素子から出力される画像の輝度に基づき露出を補正するループの繰り返しからなるフィードバック制御を行う制御手段と、前記撮像素子から出力される画像の輝度に基づき点灯される照明手段とを備えた電子カメラにおいて、前記制御手段は、前記照明手段の点灯時は、前記照明手段の非点灯時より前記補正の強度を高めることを特徴とする。
【００１５】
【発明の実施の形態】
以下、図面を参照して本発明の実施形態について説明する。
［第１実施形態］
図１、図２、図３、図４、図５を参照して本発明の第１実施形態について説明する。
【００１６】
本実施形態は、電子カメラの実施形態である。
図１は、本実施形態の電子カメラ１の構成図である。なお、本発明は、レンズが別体となった電子カメラにも適用可能であるが、ここでは、レンズ一体型の電子カメラ１に適用した場合について説明する。
【００１７】
電子カメラ１には、制御回路１０、操作ボタン１０Ａ、撮影レンズ１１、絞り機構１２、絞り駆動回路１２Ａ、シャッター機構１３、シャッター駆動回路１３Ａ、ＣＣＤ撮像素子１４、撮像素子駆動回路１４Ａ、ゲイン調整回路１５、Ａ／Ｄ変換回路１６、ＡＳＩＣなどの画像処理回路１７、液晶表示素子などのモニタ１８、表示制御回路１８Ａ、圧縮回路１９Ａなどを備える。符号１９は、挿脱可能なメモリカードなどの記憶媒体である。
【００１８】
なお、ＣＣＤ撮像素子１４が請求項における撮像素子に対応する。また、モニタ１８、及び表示制御回路１８Ａが請求項における表示部に対応する。また、制御回路１０、撮像素子駆動回路１４Ａ、ゲイン調整回路１５、画像処理回路１７が請求項における制御手段に対応する。
被写体からの光束は、撮影レンズ１１に入射し、絞り機構１２、シャッター機構１３を介してＣＣＤ撮像素子１４上に結像する。
【００１９】
ユーザは、操作ボタン１０Ａを介して電子カメラ１に対し撮像の指示、ＡＥロック（露出固定）の指示を与えたり、測光方法（多分割測光、中央重点測光など）や、ＩＳＯ感度を設定することができる。
制御回路１０は、操作ボタン１０Ａの状態からユーザの撮像の指示、ＡＥロックの指示を認識すると、その指示に応じて電子カメラ１内の各部に指示を与え、また、操作ボタン１０Ａの状態からユーザの設定した測光方法を認識すると、画像処理回路１７に対しその測光方法を設定する。
【００２０】
また、制御回路１０は、操作ボタン１０Ａの状態からユーザの設定したＩＳＯ感度を認識すると、ゲイン調整回路１５に対しそのＩＳＯ感度に対応するゲインを設定する。
（撮影前確認動画の表示）
以上の構成の電子カメラ１では、電源投入動作、及び電子カメラ１の動作モードにおける画像再生モードなどの非撮影モードから画像撮影モードへの切り替え動作などに応じて、制御回路１０の指示の下で以下のとおり撮影前確認動画の表示が行われる。
【００２１】
絞り駆動回路１２Ａは、絞り機構１２の絞り値を所定値（例えば、開放値）に設定する。
シャッター駆動回路１３Ａは、シャッター機構１３を開成状態に保つ。
撮像素子駆動回路１４Ａは、ＣＣＤ撮像素子１４を高速読み出しモードで駆動する。
【００２２】
ＣＣＤ撮像素子１４から出力される画像（ここでは撮影前確認動画）は、ゲイン調整回路１５、Ａ／Ｄ変換回路１６を順に経由して画像処理回路１７に順次入力される。
画像処理回路１７に順次入力された撮影前確認動画は、表示制御回路１８Ａを介して順次モニタ１８に表示される。
【００２３】
この撮影前確認動画の表示中、露出制御（フィードバック制御である。）が次のとおり行われる。
画像処理回路１７は、ＣＣＤ撮像素子１４から出力される各フレームの撮影前確認動画から、予めユーザが設定した測光方法などによりＡＥ評価値を抽出する。
画像処理回路１７が抽出するＡＥ評価値は、制御回路１０によって参照され、露出が適正値に近づく方向にＣＣＤ撮像素子１４の電荷蓄積時間を補正するよう撮像素子駆動回路１４Ａに対し指示が与えられる。
【００２４】
フィードバック制御では、このループが繰り返される。
なお、露出の補正は、ＣＣＤ撮像素子１４の電荷蓄積時間の変更だけでなく、シャッター機構１３によるシャッター開放時間の変更や、絞り機構１２による絞り値の変更によっても実現できるが、撮影前確認動画の表示中にはシャッターは開放で固定される。
【００２５】
この撮影前確認動画の表示中、ユーザからＡＥロックの指示が入力されると、画像処理回路１７の抽出するＡＥ評価値に依らず、電荷蓄積時間の補正量は０となり、露出が固定される。
その後、ユーザから撮像の指示が入力されると、ユーザによる各種の設定が各部に反映されると共に、前記固定した露出を実現する絞り値、シャッター速度、電荷蓄積時間が、それぞれ絞り駆動機構１２Ａ、シャッター駆動回路１３Ａ、撮像素子駆動回路１４Ａに対し設定される。そして、その設定の下、撮像素子駆動回路１４ＡがＣＣＤ撮像素子１４を静止画記録モードで駆動する。
【００２６】
ＣＣＤ撮像素子１４から出力される画像（ここでは静止画）は、ゲイン調整回路１５、Ａ／Ｄ変換回路１６を順に経由して画像処理回路１７に入力される。
画像処理回路１７に入力された静止画は、必要に応じて圧縮回路１９Ａにて圧縮された後、記憶媒体１９に書き込まれる。
この静止画を撮像するための処理が終了した時点で、上述した撮影前確認動画の表示のための各処理が再開される。
【００２７】
図２は、本実施形態の露出制御（フィードバック制御）にかかわる各処理のタイミングチャートである。
本実施形態のフィードバック制御では、フィードバック制御開始直後の第１ループと第２ループ以降の各ループとの間で相違がある。先ず、第２ループ以降の各ループの処理について説明し、その後、第１ループの処理について説明する。
【００２８】
第２ループ以降の各ループでは、画像処理回路１７は、撮影前確認動画からＡＥ評価値を抽出する際の測光方法として、ユーザの設定した測光方法を採用する。
図２（１）の処理は、その抽出されたＡＥ評価値を制御回路１０が参照する処理であり、図２（２）の処理は、そのＡＥ評価値に基づいて制御回路１０が補正量Δを求める処理であり、図２（３）の処理は、その補正量ΔだけＣＣＤ撮像素子１４の電荷蓄積時間を変更するよう制御回路１０が撮像素子駆動回路１４Ａに対し指示を与える処理である。
【００２９】
ここで、フレームの露光開始から、そのフレームのＡＥ評価値に基づき実際に露出が補正されるまでの所要時間は、３フレーム分に相当する。
このため、第２ループ以降の各ループは、３フレームにつき１回ずつ、１フレーム分のＡＥ評価値に基づいて実行される。
また、第２ループ以降の各ループでは、フィードバックの応答速度を緩やかにするために、上述した補正量Δは、露出を適正値に即座に一致させる値の２５％程度（補正強度２５％）に抑えられる。
【００３０】
次に、第１ループの処理を説明する。
図３は、本実施形態のフィードバック制御の第１ループの処理を説明するフローチャートである。なお、ステップＳ２，Ｓ３が図２（１’）の処理に対応し、ステップＳ４，Ｓ５，Ｓ６が図２（２’）の処理に対応し、ステップＳ７が図２（３’）の処理に対応する。
【００３１】
第１ループの処理に当たり、先頭フレームＡの露出は所定値に設定され、後続フレームＢの露出は別の所定値に設定される。これらの露出は、ＣＣＤ撮像素子１４の電荷蓄積時間によりそれぞれ設定される。
以下、先頭フレームＡの露出が大きい所定値（露光時間Ｔ＝１／３０秒、絞り開放）、後続フレームＢの露出が小さい所定値（露光時間Ｔ＝１／２０００秒、絞り開放）に設定されるとして説明する。
【００３２】
また、第１ループでは、ユーザの設定に拘わらず、画像処理回路１７は、撮影前確認動画からＡＥ評価値を抽出する際の測光方法として中央重点測光を採用する。
また、第１ループでは、ユーザの設定に拘わらず、ゲイン調整回路１５は、ゲインとして所定値、例えばＩＳＯ感度１００に対応した値を設定する（以上、図３ステップＳ１）。
【００３３】
そして、撮影前確認動画の先頭フレームＡから抽出されたＡＥ評価値と、それに後続する後続フレームＢから抽出されたＡＥ評価値との双方が参照される（図３ステップＳ２，Ｓ３，図２（１’））。
図４（ａ）は、大きい露出で取得された先頭フレームＡの信号値を示し、図４（ｂ）は、小さい露出で取得された後続フレームＢの信号値を示している。図４（ａ）（ｂ）において、上段は実際のＬＶ値であり、下段は１２ｂｉｔＡ／Ｄ変換回路１６の出力値である。
【００３４】
図４（ａ）（ｂ）を比較すると明らかなように、露出が相違すると、被写体の明るさが同じ（ここでは、ＬＶ値が同じ）であったとしても、その信号値は異なる。
そして、ＣＣＤ撮像素子１４のダイナミックレンジは有限であるので、露出が大きいとき（図４（ａ））には、比較的明るい被写体（ＬＶ値が１１〜１６）の信号値が「４０９５」の飽和レベルに飽和しているが、比較的暗い被写体（ＬＶ値が３〜９）の信号値は、実際のＬＶ値に応じた値をとる。
【００３５】
一方、露出が小さいとき（図４（ｂ））には、比較的暗い被写体（ＬＶ値が３〜８）の信号値が「２５」以下のノイズレベルに埋もれてしまうが、比較的明るい被写体（ＬＶ値が９〜１６）の信号値は、実際のＬＶ値に応じた値をとる。
したがって、輝度の評価は、比較的暗い被写体（ＬＶ値が３〜１０）については、大きい露出で取得したフレームのＡＥ評価値を用いる方がその精度を高くすることができ、比較的明るい被写体（ＬＶ値が９〜１６）については、小さい露出で取得したフレームのＡＥ評価値を用いる方がその精度を高くすることができる。
【００３６】
そこで、第１ループにおける制御回路１０は、先頭フレームＡのＡＥ評価値が所定の露出量判定可能レベル（ＡＤ出力値３２００以下に相当するレベル）であるか否か判断し（図３ステップＳ４）、露出量判定可能レベルであるときには（図３ステップＳ４ＹＥＳ）、被写体の輝度が比較的低いとみなし、大きい露出で得た先頭フレームＡのＡＥ評価値とその露出とに基づいて補正量Δを求める（図３ステップＳ５）。
【００３７】
一方、先頭フレームＡのＡＥ評価値が所定の露出量判定可能レベルを超えているときには（図３ステップＳ４ＮＯ）、被写体の輝度が比較的高いとみなし、小さい露出で得た後続フレームＢのＡＥ評価値とその露出とに基づいて補正量Δを求める（図３ステップＳ６）（以上、図２（２’））。
また、この第１ループにおいては、フィードバックの応答速度を高めるために、補正強度が高められる。具体的に、ステップＳ５、Ｓ６で求められる補正量Δは、露出を適正値に即座に一致させる値の１００％（補正強度１００％）とされる。
【００３８】
撮像素子駆動回路１４Ａは、このようにして求められた補正量ΔだけＣＣＤ撮像素子１４の電荷蓄積時間を変更する（図３ステップＳ７、図２（３’））。
以上のとおり、第１ループでは、先頭フレームＡだけでなく後続フレームＢにも基づくので、撮影前確認動画の輝度の評価が高い精度でなされ、補正量Δは精度高く求まる。
【００３９】
よって、その補正強度を（１００％に）高めても、露出が不適正な値に外れる可能性は極めて低い。
図５は、本実施形態のフィードバック制御と従来のフィードバック制御とを比較する図である。なお、図５において、実線が本実施形態、点線が従来を示す。
また、横軸がフィードバック制御が開始されてからの経過時間、縦軸が露出の適正値からのずれである（なお、図５に示すデータは或る特定の被写体を撮影前確認動画として表示したときに得られたデータの一例である。）。
【００４０】
図５を参照すると明らかなように、本実施形態のフィードバック制御によると、第１ループの終了時（※印）には、露出が適正値になる。
これは、第１ループによるフィードバックの応答速度が速く、かつ、第１ループによる補正量Δの算出精度が高いことの現れである。
【００４１】
以上、本実施形態の電子カメラ１によれば、撮影前確認動画の表示開始直後における露出は、高速に最適化される。
なお、電子カメラ１では、この時点（※印）から、ユーザによるＡＥロックの指示の受付、及び、モニタ１８に対する撮影前確認動画の適正な表示が可能となる。
【００４２】
１フレームの読み出し期間を３３．３ｍｓとすると、フィードバック制御開始時からの経過時間が約１３３ｍｓの時点から、ユーザによるＡＥロックの指示の受付、及び、モニタ１８に対する撮影前確認動画の適正な表示が可能となる。
［第２実施形態］
図６、図７を参照して本発明の第２実施形態について説明する。
【００４３】
本実施形態も、電子カメラの実施形態である。なお、ここでは、第１実施形態の電子カメラ１との相違点についてのみ説明し、その他の説明を省略する。
本実施形態の電子カメラも、第１実施形態の電子カメラ１と同様、図１に示すとおりの構成をしている。
相違点は、撮影前確認動画の表示中の露出制御（フィードバック制御）のうち、特に、第２ループ以降の各ループにある。
【００４４】
図６は、本実施形態のフィードバック制御の第２ループ以降の各ループの処理を説明するフローチャートである。なお、ステップＳ２１が図２（１）の処理に対応し、ステップＳ２２，Ｓ２３，Ｓ２４が図２（２）の処理に対応し、ステップＳ２５が図２（３）の処理に対応する。
第２ループ以降の各ループでは、第１実施形態における第２ループ以降の各ループと同様、画像処理回路１７は、撮影前確認動画からＡＥ評価値を抽出する際の測光方法に、ユーザの設定した測光方法を採用する。
【００４５】
また、その抽出されたＡＥ評価値は、制御回路１０によって参照され（図６ステップＳ２１，図２（１））、そのＡＥ評価値に基づいて補正量Δが求められ（図６ステップＳ２３，図２（２））、求められた補正量ΔだけＣＣＤ撮像素子１４の電荷蓄積時間を変更するよう撮像素子駆動回路１４Ａに対し指示が与えられる（図６ステップＳ２５，図２（３））。
【００４６】
また、ステップＳ２３では、フィードバックの応答速度を緩やかにするために、補正強度は低く抑えられ、例えば２５％程度とされる。
但し、本実施形態の制御回路１０は、ステップＳ２３の前段で、ＡＥ評価値が所定範囲内に収まっているか否かを判別し（ステップＳ２２）、収まっていないと判別されたとき（ステップＳ２２ＮＯ）には、被写体の照明が特殊照明（測距用の補助光源の点灯など）に切り替えられたとみなし、補正強度を例えば５０％に高める（ステップＳ２４）。
【００４７】
図７は、本実施形態のフィードバック制御を説明する図である。なお、図７において、横軸がフィードバック制御が開始されてからの経過時間、縦軸が露出の適正値からのずれである（なお、図７に示すデータは或る特定の被写体を撮影前確認動画として表示したときに得られたデータの一例である。）。
※※印は、被写体の照明が特殊照明に切り替えられたときを示す。
【００４８】
特殊照明に切り替えられた直後のフィードバックの応答速度は、その前後と比較すると速くなり、露出が適正値に急速に近づいている。
これは、ＡＥ評価値が所定範囲内に収まっていないと判断され、補正強度が高められたことの現れである。
したがって、本実施形態の電子カメラによれば、被写体の照明が特殊照明に切り替えられた直後における露出が高速に最適化される。
【００４９】
このような本実施形態の電子カメラでは、特殊照明に切り替えられた直後であっても、ユーザによるＡＥロックの指示の受付、及び、モニタ１８に対する撮影前確認動画の適正な表示が可能である。
【００５０】
［その他］
なお、第１実施形態では、フィードバック制御の第１ループにおいて制御回路１０が２画像の輝度を参照したが、３画像の輝度を参照することとしてもよい。また、第１実施形態では、フィードバック制御の第１ループにおいて制御回路１０が連続する複数画像の輝度を参照したが、非連続の複数画像の輝度を参照することとしてもよい。
【００５１】
但し、上述したごとく連続する２画像を参照した方が、最も効率よく補正量Δを算出することができる。
また、第２実施形態では、ＡＥ評価値が所定範囲内に収まっていないときに補正強度が高められたが、ＡＥ評価値が所定値を超過するときにのみ補正強度を高めてもよい。この場合、著しく明るい特殊照明に切り替えられた直後の露出を高速に最適化することができる。
【００５２】
また、ＡＥ評価値が所定値に満たないときにのみ補正強度を高めてもよい。この場合、著しく暗い特殊照明に切り替えられた直後の露出を高速に最適化することができる。
また、第２実施形態の電子カメラにおいては、フィードバック制御の第１ループの処理を、第２ループ以降の各ループの処理と同様にしてもよい。
【００５３】
また、第２実施形態の電子カメラにおいては、ＡＥ評価値に基づいて特殊照明に切り替えられたことを判定し、その判定に応じて補正量Δを決定しているが（ステップＳ２２〜Ｓ２４）、特殊照明の点灯の有無に基づいて補正量Δを決定するよう電子カメラを構成することもできる。
例えば、測距用の補助光源（例えば画像の輝度に応じて自動的に点灯される。）を内蔵している電子カメラでは、その補助光源の点灯の有無を即座に認識できるので、補正量Δを即座に決定することができる。
【００５４】
【発明の効果】
以上説明したとおり本発明によれば、撮影前確認動画の表示中の状況に柔軟に対応した露出制御が可能な電子カメラが実現する。
具体的に、撮影前確認動画の表示開始直後の露出を高速に最適化することのできる電子カメラが実現する。
また、撮影前確認動画の表示中に被写体の照明が特殊照明に切り替えられた直後の露出を高速に最適化することのできる電子カメラが実現する。
【図面の簡単な説明】
【図１】第１実施形態の電子カメラ１の構成図である。
【図２】第１実施形態の露出制御（フィードバック制御）にかかわる各処理のタイミングチャートである。
【図３】第１実施形態のフィードバック制御の第１ループの処理を説明するフローチャートである。
【図４】図４（ａ）は、大きい露出で取得された先頭フレームＡの信号値を示す図であり、図４（ｂ）は、小さい露出で取得された後続フレームＢの信号値を示す図である。
【図５】第１実施形態のフィードバック制御と従来のフィードバック制御とを比較する図である。
【図６】第２実施形態のフィードバック制御の第２ループ以降の各ループの処理を説明するフローチャートである。
【図７】
第２実施形態のフィードバック制御を説明する図である。
【符号の説明】
１  電子カメラ
１０  制御回路（制御手段に対応）
１０Ａ  操作ボタン
１１  撮影レンズ
１２  絞り機構
１２Ａ  絞り駆動回路
１３  シャッター機構
１３Ａ  シャッター駆動回路
１４  ＣＣＤ撮像素子（撮像素子に対応）
１４Ａ  撮像素子駆動回路（制御手段に対応）
１５  ゲイン調整回路
１６  Ａ／Ｄ変換回路
１７  画像処理回路（制御手段に対応）
１８  モニタ（表示部に対応）
１８Ａ  表示制御回路（表示部に対応）
１９Ａ  圧縮回路
１９  記憶媒体
【図１】
2004266362.tif 000003
【図２】
2004266362.tif 000004
【図３】
2004266362.tif 000005
【図４】
2004266362.tif 000006
【図５】
2004266362.tif 000007
【図６】
2004266362.tif 000008
【図７】
2004266362.tif 000009